(57)【要約】      （修正有）【課題】二段ベッド用の組立分解が可能なガードレール装置を提供する。【解決手段】二段ベッドの二つの支柱の間に接続するガードレールには二つの端末部があり、二つの端末部は別々に組立分解できるように二つの支柱と接続する。また一つのアセンブリがあり、アセンブリには固定された複数のファスナーが、複数のガードレールを締め付ける。支柱は空中パイプで、内外を貫通した接続孔が設置され、接続孔にはプラスチックスリーブが締め付けられ、ガードレールの端末部を組立分解できるようにスリーブの内孔に挿入する。【選択図】図２
0003165682.tif 000002
【実用新案登録請求の範囲】
【請求項１】
二段ベッドの二つの支柱の間に接続し、前記ガードレールには二つの端末部があり、前記二つの端末部は別々に組立分解できるように前記二つの支柱と接続する組立分解可能のガードレール装置である。
【請求項２】
また一つのアセンブリがあり、前記アセンブリには複数のファスナーが固定され、前記複数のファスナーは組立分解できるように上下方向に設置された複数のガードレールと締め付けることを特徴とする請求項１記載の組立分解可能のガードレール装置。
【請求項３】
前記支柱にはプラスチックスリーブが設置され、前記ガードレールの端末部を組立分解できるように前記スリーブの内孔に挿入することを特徴とする請求項１または請求項２に記載の組立分解可能のガードレール装置。
【請求項４】
前記支柱には一つの棒と、前記棒をカバーした複数個の定位スリーブとがあり、別々の定位スリーブの外側には一つのスリープが突き出て設置されることを特徴とする請求項３記載の組立分解可能のガードレール装置。
【請求項５】
前記支柱は中空パイプで、前記中空パイプには内外を貫通した接続孔が設置され、前記接続孔にはプラスチックスリーブが締め付けられ、前記ガードレールの端末部を組立分解できるように前記スリーブの内孔に挿入することを特徴とする請求項１または請求項２記載の組立分解可能のガードレール装置。
【請求項６】
前記スリーブの底部には一つの弾性アームが後ろ側へ向かって突き出て、前記弾性アームには一つの凸状体が突き出て設置され、前記ガードレールの端末部の底部には一つの締結溝が設置され、前記ガードレールの端末部を組立分解できるように前記スリーブの内孔に挿入し、そして、前記凸状体を前記締結溝に挿入することを特徴とする請求項５記載の組立分解可能のガードレール装置。
【請求項７】
前記支柱は中空パイプで、前記中空パイプには内外を貫通した接続孔が設置され、前記ガードレールの端末部にはプラスチックスリーブが設置され、前記プラスチックスリーブを組立分解できるように前記接続孔に挿入することを特徴とする請求項１または請求項２記載の組立分解可能のガードレール装置。
【請求項８】
前記スリーブには弾性アームが設置され、前記弾性アームには二つの凸状体が突き出て設置され、その中で、外側の凸状体が締結柱で、裏側の凸状体がボタン柱で、前記締結柱と、ボタン柱との間には支柱のパイプ厚さと対応した締結溝が形成し、前記スリーブを前記接続孔に挿入し、そして、前記締結柱は支柱の裏に位置し、前記締結溝は前記接続孔の周縁を覆うことを特徴とする請求項７記載の組立分解可能のガードレール装置。
【請求項９】
前記支柱にはファスナーが設置され、前記ファスナーには一端面が開いたままの締結溝と、それに締結溝とつながり、締結溝の上面に設置された開口とがあり、前記ガードレールの端末部は開口から裏へ向かって、前記締結溝の裏に締め付けられることを特徴とする請求項１または請求項２記載の組立分解可能のガードレール装置。
【請求項１０】
前記支柱には棒と、棒の外側と固定接続した支持シートとがあり、前記支持シートには締結部材が突き出て設置されることを特徴とする請求項９記載の組立分解可能のガードレール装置。
【請求項１１】
前記支柱は中空パイプで、前記中空パイプには内外を貫通した接続孔が設置され、前記接続孔の裏にはプラスチックスリーブが設置され、前記ガードレールの端末部は縦方向或いは横方向へ延伸し、締結端に形成し、前記締結端を組立分解できるように前記スリーブの内孔に挿入することを特徴とする請求項１または請求項２記載の組立分解可能のガードレール装置。
【請求項１２】
前記支柱は中空パイプで、前記中空パイプには内外を貫通した接続孔が設置され、それに、プラスチックスリーブも備え、前記スリーブの外側には二つの凸輪が外へ突き出て、前記二つの凸輪の間には締結溝が形成し、前記スリーブが前記接続孔の裏に設置され、それに、前記締結溝が接続孔の周縁に締め付けられ、前記ガードレールの端末部を前記スリーブの内孔に挿入することを特徴とする請求項１または請求項２記載の組立分解可能のガードレール装置。
【請求項１３】
ガードレールは支柱と内舌によって締め付け、締結部の上部には一対の縦方向の突起が設置され、突起の下部は一つの定位プラットホームで、二つの突起の距離はガードレールの先端部の外径と対応し、また、二つの突起の間には一つの内舌が設置され、内舌の大きさはガードレール先端部の内径と対応し、ガードレールの先端部には一つの貫通溝が径方向に設置され、貫通溝の広さは内舌の広さよりやや大きく、締結部材はリベットで支柱と固定されることを特徴とする請求項１または請求項２記載の組立分解可能のガードレール装置。
【請求項１４】
設置段階で、ガードレールの先端を上部から締結部材の二つの突起に挿入し、定位プラットホームまで定位し、内舌はその貫通溝の間に位置し、ガードレールを水平方向に９０度回転し、貫通溝が水平方向に位置し、内舌をガードレールのパイプの裏に定位することを特徴とする請求項１３記載の組立分解可能のガードレール装置。
【請求項１５】
ガードレールは外舌によって支柱と締め付け、締結部の上部には一対の縦方向の突起が設置され、突起の下部は一つの定位プラットホームで、二つの突起の距離はガードレールの先端部の外径と対応し、また、二つの突起の間の上には一つの外舌が設置され、外舌の下表面から定位プラットホームまでの距離はガードレール先端部の外径と対応し、ガードレールの先端部には一つの貫通溝が径方向に設置され、貫通溝の広さは外舌の広さよりやや大きく、締結部材はリベットで支柱と固定されることを特徴とする請求項１または請求項２記載の組立分解可能のガードレール装置。
【請求項１６】
設置段階で、ガードレールの先端を上部から締結部材の二つの突起に挿入し、定位プラットホームまで定位し、外舌はその貫通溝の間の上面に位置し、ガードレールを水平方向に９０°回転し、貫通溝が水平方向に位置し、外舌をガードレールの外にもたれて定位することを特徴とする請求項１５記載の組立分解可能のガードレール装置。
【請求項１７】
ガードレール弾性舌によって支柱と締め付け、締結部の上部には一対の縦方向の突起が設置され、突起の下部は一つの定位プラットホルムで、二つの突起の間の距離はガードレールの先端部の外径と対応し、また、二つの突起の間には一つの弾性舌が設置され、締結部材はリベットで支柱と固定されることを特徴とする請求項１または請求項２記載の組立分解可能のガードレール装置。
【請求項１８】
設置段階で、ガードレールの先端を上部から締結部材の二つの突起に挿入し、弾性舌が力を受けて縮め、定位プラットホームまで定位し、弾性舌を放出し、弾性舌をガードレールの裏に定位することを特徴とする請求項１７記載の組立分解可能のガードレール装置。
【考案の詳細な説明】
【技術分野】
【０００１】
本考案は一種の二段ベッド用の組立分解可能のガードレール装置に関する。
【背景技術】
【０００２】
ユーザーが思わず転落するのを防ぐために、二段ベッドの上段或いは下段に、とくに上段にはガードレールを設置されなければならない。従来のガードレールは分解できないように二つの支柱と固定され、前記支柱は上段の上にあった二段ベッドの支持脚の一部で、または上段の床縁に設置された固定柱である。ガードレールと支柱の間の接続部材は組立分解不可能なため、占有スペースを場合によっては調節できない。たとえば、運送、或いは携帯、或いは保管場合には分解できないので、運送、或いは携帯、或いは保管するのはきわめて不便利である。
【考案の概要】
【考案が解決しようとする課題】
【０００３】
本考案の目的として、一種の組立分解可能のガードレール装置を提供し、従来の二段ベッドのガードレール装置の不足を解決する。
【課題を解決するための手段】
【０００４】
本考案は以下の技術手段を採用し、
組立分解可能のガードレール装置は、二段ベッドの二つの支柱の間に接続し、前記ガードレールには二つの端末部があり、前記二つの端末部は別々に組立分解できるように前記二つの支柱と接続する。
【０００５】
もっとも好ましい実施例には、また一つのアセンブリがあり、前記アセンブリには複数のファスナーが固定され、前記複数のファスナーは組立分解できるように上下方向に設置された複数のガードレールと締め付ける。
【０００６】
もっとも好ましい実施例には、前記支柱にはプラスチックスリーブが設置され、前記ガードレールの端末部を組立分解できるように前記スリーブの内孔に挿入する。
【０００７】
もっとも好ましい実施例には、前記支柱には一つの棒と、前記棒をカバーした複数個の定位スリーブとがあり、別々の定位スリーブの外側には一つのスリーブが突き出て設置される。
【０００８】
もっとも好ましい実施例には、前記支柱は中空パイプで、前記中空パイプには内外を貫通した接続孔が設置され、前記接続孔にはプラスチックスリーブが締め付けられ、前記ガードレールの端末部を組立分解できるように前記スリーブの内孔に挿入する。
【０００９】
もっとも好ましい実施例には、前記スリーブの底部には一つの弾性アームが後ろ側へ向かって突き出て、前記弾性アームには一つの凸状体が突き出て設置され、前記ガードレールの端末部の底部には一つの締結溝が設置され、前記ガードレールの端末部を組立分解できるように前記スリーブの内孔に挿入し、そして、前記凸状体を前記締結溝に挿入する。
【００１０】
もっとも好ましい実施例には、前記支柱は中空パイプで、前記中空パイプには内外を貫通した接続孔が設置され、前記ガードレールの端末部にはプラスチックスリーブが設置され、前記プラスチックスリーブを組立分解できるように前記接続孔に挿入する。
【００１１】
もっとも好ましい実施例には、前記スリーブには弾性アームが設置され、前記弾性アームには二つの凸状体が突き出て設置され、その中で、外側の凸状体が締結柱で、裏側の凸状体がボタン柱で、前記締結柱と、ボタン柱との間には支柱のパイプ厚さと対応した締結溝が形成し、前記スリーブを前記接続孔に挿入し、そして、前記締結柱は支柱の裏に位置し、前記締結溝は前記接続孔の周縁をカバーする。
【００１２】
もっとも好ましい実施例には、前記支柱にはファスナーが設置され、前記ファスナーには一端面が開いたままの締結溝と、それに締結溝とつながり、締結溝の上面に設置された開口とがあり、前記ガードレールの端末部は開口から裏へ向かって、前記締結溝の裏に締め付けられる。
【００１３】
もっとも好ましい実施例には、前記支柱には棒と、棒の外側と固定接続した支持シートとがあり、前記支持シートには締結部材が突き出て設置される。
【００１４】
もっとも好ましい実施例には、前記支柱は中空パイプで、前記中空パイプには内外を貫通した接続孔が設置され、前記接続孔の裏にはプラスチックスリーブが設置され、前記ガードレールの端末部は縦方向或いは横方向へ延伸し、締結端に形成し、前記締結端を組立分解できるように前記スリーブの内孔に挿入する。
【００１５】
もっとも好ましい実施例には、前記支柱は中空パイプで、前記中空パイプには内外を貫通した接続孔が設置され、それに、プラスチックスリーブも備え、前記スリーブの外側には二つの凸輪が外へ突き出て、前記二つの凸輪の間には締結溝が形成し、前記スリーブが前記接続孔の裏に設置され、それに、前記締結溝が接続孔の周縁に締め付けられ、前記ガードレールの端末部を前記スリーブの内孔に挿入する。
【００１６】
本技術手段の特長として、ガードレールの端末部は分解できるように支柱と接続するので、そして、場合によって調節でき、たとえば、運送、或いは携帯、或いは保管する時には分解するが、使用するときには組み立てるということで、運送、或いは携帯、或いは保管することに便利を図る。それに、アセンブリは組立分解できるように上下方向に設置された複数個のガードレールと締め付けるので、前記ガードレールをきちんと定位で固定する。それに、ガードレールの端末部を組立分解できるように前記プラスチックスリーブの内孔に挿入するので、ガードレールの端末部とプラスチックスリーブとの間の組立は堅固で、静か、便利である。複数の定位スリーブは前記棒の外側を覆うので、前記定位スリーブには別々に一つのスリーブが外へ突き出て設置されるので、いったん定位スリーブの位置を固定してから、それぞれのガードレールの位置も固定できる。前記弾性アームの凸状体を前記ガードレールの端末部の締結溝に挿入するので、ガードレールの端末部の軸方向、或いは横方向の位置が固定でき、ガードレールの端末部を強く固定する。前記スリーブの弾性アームの締結溝は前記支柱の接続孔の周縁をカバーするので、ガードレールの端末部の軸方向あるいは横方向の位置を固定する上で、ガードレールの端末部をきちんと固定し、それに、ユーザーはボタンを押すだけで、弾性アームを働き始め、締結柱を支柱から脱出させ、ガードレールの端末部を支柱と便利に分解できる。そして、前記ガードレールの端末部は開口から前記締結溝の裏に締め付けられるので、ガードレールの端末部は重力の作用によって、締結溝の裏に強く締め付けられる。前記ガードレールの端末部は縦方向或いは横方向に延伸し、締結端に形成し、締結端を組立分解できるように前記スリーブの裏に挿入するので、きちんと接続する。前記二つの凸輪の間には締結溝が形成し、前記締結溝は接続孔の周縁に締め付けられるので、スリーブと支柱との接続は堅固である。
【図面の簡単な説明】
【００１７】
以下は図と好ましい実施形態をまとめて、本考案の内容をいっそう詳しく説明する。
【図１】本考案の実施一の二段ベッドの立体図をしめす。
【図２】本考案の実施一の二段ベッドの立体分解図をしめす。
【図３】図２のA部の拡大図をしめす。
【図４】本考案の実施二の二段ベッドの立体分解図をしめす。
【図５】図４のB部の拡大図を示す。
【図６】本考案の実施三の二段ベッドの立体分解図をしめす。
【図７】図６のC部の拡大図を示す。
【図８】図６のD部の拡大図を示す。
【図９】本考案の実施四の二段ベッドの立体分解図をしめす。
【図１０】図９のE部の拡大図を示す。
【図１１】図９のF部の拡大図を示す。
【図１２】本考案の実施五の二段ベッドの立体分解図をしめす。
【図１３】図１２のG部の拡大図を示す。
【図１４】図１２のH部の拡大図を示す。
【図１５】本考案の実施六の二段ベッドの立体分解図をしめす。
【図１６】本考案の実施七の二段ベッドの立体分解図をしめす。
【図１７】図１６のI部の拡大図を示す。
【図１８】本考案の実施八の二段ベッドの立体分解図をしめす。
【図１９】本考案の実施九の支柱とガードレールとの接続図をしめす。
【図２０】図１９の上面図を示す。
【図２１】図１９のJ部が組み立てる前の拡大図を示す。
【図２２】図１９のJ部が組み立てた後の拡大図を示す。
【図２３】図２０のK部の拡大図を示す。
【図２４】本考案の実施十の支柱とガードレールとの接続図をしめす。
【図２５】図２４の上面図を示す。
【図２６】図２４のL部が組み立てる前の拡大図を示す。
【図２７】図２４のL部が組み立てた後の拡大図を示す。
【図２８】図２５のM部の拡大図を示す。
【図２９】本考案の実施十一の支柱とガードレールとの接続図をしめす。
【図３０】図２９の上面図を示す。
【図３１】図２９のN部が組み立てる前の拡大図を示す。
【図３２】図２９のN部が組み立てた後の拡大図を示す。
【考案を実施するための形態】
【００１８】
実施例１、図１、図２に示すように、本実施例一の二段ベッドの立体図と立体分解図を示す。前記二段ベッドには四つの支持脚１０と、一つの下段１２と、一つの上段１４と、一つのはしご１６と、複数個のガードレール１８とがある。
【００１９】
前記下段１２は組立分解できるように前記四つの支持脚１０の下部の間に接続し、前記上段１４は組立分解できるように前記四つの支持脚１０の上部の間に接続し、前記はしご１６は組立分解できるように前記上段１４の前側と、それに前記下段１２の前側と接続する。必要におじて、前記支持脚は中空パイプで、それに、前記中空パイプの上面には栓２０が固定される。別々の支持脚１０には上段１４の上まで伸ばした延伸部が設置され、前後側の延伸部の間は複数個のガードレール１８が上下方向に離れて並んで接続し、後ろ側の二つの延伸部の間も複数個のガードレール１８が上下方向に離れて並んで接続する。
【００２０】
図３に示すように、図２のA部の拡大図をしめす。前記延伸部の外側を支持シート２２が包み前記支持シート２２と延伸部が対応して支柱に形成する。前記支持シート２２にはファスナー２４が突き出て、前記ファスナー２４には一端面が開いたままの一締結溝２６と、それに締結溝２６とつながり、締結溝２６の上面に設置された開口２８とがあり、前記開口２８の大きさは締結溝２６の内径より小さい。前記ガードレール１８の端末部は開口２８から前記締結溝２６の裏に締め付けられるによって、支柱を組立分解できるようにガードレール１８とインストールさせる。
【００２１】
図１、図２を参照すると、またアセンブリ３０が設置され、前記アセンブリ３０には複数個のファスナー３２が固定され、前記複数個のファスナー３２は別々に組立分解できるように上下方向にアレンジした前記複数のガードレール１８と締め付ける。
【００２２】
必要に応じて、別々の支持脚１０には下段１２と、上段１４との間に位置した中部があり、前後側の中部の間は複数個のガードレール１８が上下方向に離れて並んで接続し、前記ガードレールの端末部と中部との接続部は、ガードレール１８の端末部と延伸部との接合部と同じである。
【００２３】
必要に応じて、前記上段１４の前縁には二つの固定棒３４が設置され（本実施例には固定棒３４も支柱である）、複数の定位スリーブ３６が順番によって別々の固定棒３４をカバーし、その中で、上一スリーブ３６の底面は下一スリーブ３６の上面にもたれて、別々の前記定位スリーブにはプラスチック３８が突き出る。前記ガードレール１８の端末部を組立分解できるように前記プラスチック３８の内孔に挿入することによって、固定棒３４を組立分解できるようにガードレール１８とインストールさせる。
【００２４】
実施例２は、図４、図５を参照すると、本実施例二の二段ベッドの立体分解図とB部の拡大図を示す。本実施例は定位スリーブ式で、実施例一と違って、複数の定位スリーブ３６が前記延伸部の外側をカバーし、その中で、上一スリーブ３６の底面は下一スリーブ３６の上面にもたれて、別々の前記定位スリーブにはプラスチック３８は突き出る。前記ガードレール１８の端末部を組立分解できるように前記プラスチック３８の内孔に挿入することによって、固定棒３４組立分解できるようにをガードレール１８とインストールさせる。
【００２５】
実施例３は、図６〜８を参照すると、別々に本実施例三の二段ベッドの立体分解図と、C部またはD部の拡大図を示す。本実施例は腰状孔式で、実施例一と違って、前記延伸部には内外を貫通した接続孔４０が設置される。第一プラスチックスリーブ４２が前記ガードレール１８の第一端末部をカバーし、第二プラスチックスリーブ４４が第二端末部をカバーし、前記第二プラスチックスリーブ４４の外側には二つの凸輪４６が突き出て、前記二つの凸輪４６の間には締結溝が形成し、延伸部の中空パイプのパイプ厚さと対応する。前記第一プラスチックスリーブ４２を組立分解できるように前記一延伸部の接続孔４０に挿入し、第二接続孔４０は腰状孔で、その上部の孔径は下部の孔径より大きい、それに、下部の孔径は凸輪４６の孔径より小さい、第二プラスチック４４の端部を上孔から挿入してから、下孔まで押すことによって、二つの凸輪４６を締結溝に形成させる。
【００２６】
実施例４は、図９〜１１を参照すると、別々に本実施例四の二段ベッドの立体分解図と、E部またはF部の拡大図を示す。本実施例はボタン式で、実施例一と違って、前記延伸部には内外を貫通した接続孔４０が設置される。前記ガードレール１８の第一端末部には第一プラスチックスリーブ４８が固定され、第二端末部には第二プラスチックスリーブ５０が固定され、前記第二プラスチックスリーブ５０の外側には前記第二端末部から伸ばした中空部がある。前記第二プラスチックスリーブ５０には弾性アーム５２が設置され、前記弾性アーム５２には二つの凸状体が突き出て、その中で、外側の一凸状体は締結柱５４で、裏側の一凸状体はボタン柱５６で、前記締結柱５４と、ボタン柱５６との間には締結溝が形成し、延伸部のパイプ厚さと対応する。前記第一プラスチックスリーブ４８を組立分解できるように一つの延伸部の接続孔４０に挿入し、前記プラスチックスリーブ５０を組立分解できるようにまた一つの延伸部の接続孔４０に挿入し、前記締結柱５４は延伸部の中空パイプの裏に位置し、前記ボタン柱５６は延伸部の中空パイプの外に位置し、それに、前記締結溝が前記接続孔４０の周縁をカバーする。
【００２７】
実施例５は、図１２〜１４を参照すると、別々に本実施例五の二段ベッドの立体分解図と、G部またはH部の拡大図を示す。本実施例は締結式で、実施例一と違って、前記延伸部には内外を貫通した扁平な接続孔４０が設置され、その中で、二つの対応した延伸部の間には、前記第一延伸部の接続孔４０には第一プラスチックスリーブ５８が締め付けられ、第二延伸部の接続孔４０には第二プラスチックスリーブ６０が締め付けられる。前記第二プラスチックスリーブ６０の底部が後ろへ突き出て、一つの弾性アーム６２が形成し、前記弾性アーム６２には一つの凸状体６４が突き出て、また、開口の両側にはバッフル板６５が設置される。前記ガードレール１８の両端部はみんな扁平状で、それに、前記第二端末部の底部には締結溝６６が設置される。前記ガードレール１８の第一端末部を組立分解できるように前記第一プラスチックスリーブ５８の内孔に挿入し、第二端末部を組立分解できるように前記第二プラスチック６０の内孔に挿入し、それに、前記凸状体６４を前記締結溝６６に挿入する。
【００２８】
実施例６は、図１５を参考するように、本実施例六の二段ベッドの立体分解図を示す。本実施例は実施例五と違って、前記ガードレール１８の端末部は楕円状で、前記第一プラスチックスリーブ５８の内孔と、第二プラスチックスリーブ６０の内孔とはみんな楕円状で、前記ガードレール１８の端末部は前記第一プラスチックスリーブ５８の内孔と、第二プラスチックスリーブ６０の内孔と対応する。
【００２９】
実施例７は、図１６、図１７を参照すると、別々に本実施例七の二段ベッドの立体分解図と、I部との拡大図を示す。本実施例は実施例一と違って、前記延伸部の裏側近傍のところには内外を貫通した接続孔４０が設置され、前記接続孔４０の裏にはプラスチックスリーブ６８が締め付けられ、前記ガードレール１８の端末部は縦方向或いは横方向に延伸し、締結端７０に形成し、前記ガードレール１８の締結端７０を組立分解できるように裏から外へ向かって前記スリーブ６８に挿入する。その中で、後ろ側の延伸部は後横方向のガードレール１８と、縦方向のガードレール１８と接続しなくてはならないので、前記延伸部の横断面が中心角の２７０度の曲面にデザインされる。
【００３０】
実施例８は、図１８に示すように、本実施例の二段ベッドの立体分解図を示す。本実施例は実施例７と違って、前記延伸部の外側近傍のところには内外を貫通した接続孔４０が設置され、前記ガードレール１８の締結端７０を組立分解できるように裏から外へ向かって前記スリーブ６８に挿入する。
【００３１】
実施例９には、図１９、図２０、図２１、図２２、図２３を参照すると、本実施例のガードレール１８は支柱と内舌によって締め付け、締結部８０の上部には一対の縦方向の突起８１が設置され、突起８１の下部は一つの定位プラットホーム８３で、二つの突起８１の距離はガードレール１８の先端部の外径と対応し、また、二つの突起８１の間には一つの内舌８２が設置され、内舌８２の大きさはガードレール１８先端部の内径と対応し、ガードレール１８の先端部には一つの貫通溝が径方向に設置され、貫通溝の広さは内舌の広さよりやや大きい。締結部材８０はリベットで支柱と固定される。
【００３２】
設置ステップ；図２１、図２３とに示すように、ガードレール１８の先端を上部から締結部材８０の二つの突起に挿入し、定位プラットホーム８３まで定位し、内舌８２はその貫通溝の間に位置する。ガードレールを水平方向に９０度回転し、貫通溝が水平方向に位置し、内舌８２をガードレール１８のパイプの裏に定位し、図２４に示すように。
【００３３】
実施例１０には、図２４〜２８を参照すると、本実施例のガードレール１８は外舌によって支柱と締め付け、締結部８０の上部には一対の縦方向の突起８１が設置され、突起８１の下部は一つの定位プラットホーム８３で、二つの突起８１の距離はガードレール１８の先端部の外径と対応し、また、二つの突起８１の間の上には一つの外舌８４が設置され、外舌８４の下表面から定位プラットホームまでの距離はガードレール１８先端部の外径と対応し、ガードレール１８の先端部には一つの貫通溝が径方向に設置され、貫通溝の広さは外舌８４の広さよりやや大きい。締結部材８０はリベットで支柱と固定される。
【００３４】
設置ステップ；図２６と図２８とに示すように、ガードレール１８の先端を上部から締結部材８０の二つの突起８１に挿入し、定位プラットホームまで定位し、外舌８４はその貫通溝の間の上面に位置する。ガードレールを水平方向に９０°回転し、貫通溝が水平方向に位置し、外舌８４をガードレール１８の外にもたれて定位し、図２７に示すように。
【００３５】
実施例１１で、図２９〜３２を参照すると、本実施例のガードレール１８弾性舌によって支柱と締め付け、締結部８０の上部には一対の縦方向の突起８１が設置され、突起８１の下部は一つの定位プラットホーム８３で、二つの突起８１の間の距離はガードレール１８の先端部の外径と対応し、また、二つの突起８１の間には一つの弾性舌８５が設置され、締結部材８０はリベットで支柱と固定される。
【００３６】
設置ステップ；図３１に示すように、ガードレール１８の先端を上部から締結部材８０の二つの突起８１に挿入し、弾性舌８５が力を受けて縮め、定位プラットホームまで定位し、弾性舌８５を放出し、弾性舌８５をガードレール１８の裏に定位し、図３２に示すように。
【００３７】
以上のように、本考案でただ好ましい実施例を開示したが，本考案のデザインアイディアはこれに限定されるものではなく，当業者が，本考案のアイディアと範囲に基づいて色々変形させることは可能であり，それらは本考案の請求項の保護範囲から排除するものではない。
【産業上の利用可能性】
【００３８】
本考案には一種の組立分解可能のガードレール装置を提供する。前記ガードレールは二段ベッドの二つの支柱の間に接続し、前記ガードレールには二つの端末部があり、前記二つの端末部は別々に組立分解できるように前記二つの支柱と接続する。本考案の特長として、ガードレールの端末部は組立分解できるように支柱と接続するが、場合によって調節でき、たとえば、運送、或いは携帯、或いは保管する時には分解するが、使用時には組立てるとで、ユーザーの運送、或いは携帯、或いは保管することに便利を図り、よい工業実用性がある。
【図１】
0003165682.tif 000003
【図２】
0003165682.tif 000004
【図３】
0003165682.tif 000005
【図４】
0003165682.tif 000006
【図５】
0003165682.tif 000007
【図６】
0003165682.tif 000008
【図７】
0003165682.tif 000009
【図８】
0003165682.tif 000010
【図９】
0003165682.tif 000011
【図１０】
0003165682.tif 000012
【図１１】
0003165682.tif 000013
【図１２】
0003165682.tif 000014
【図１３】
0003165682.tif 000015
【図１４】
0003165682.tif 000016
【図１５】
0003165682.tif 000017
【図１６】
0003165682.tif 000018
【図１７】
0003165682.tif 000019
【図１８】
0003165682.tif 000020
【図１９】
0003165682.tif 000021
【図２０】
0003165682.tif 000022
【図２１】
0003165682.tif 000023
【図２２】
0003165682.tif 000024
【図２３】
0003165682.tif 000025
【図２４】
0003165682.tif 000026
【図２５】
0003165682.tif 000027
【図２６】
0003165682.tif 000028
【図２７】
0003165682.tif 000029
【図２８】
0003165682.tif 000030
【図２９】
0003165682.tif 000031
【図３０】
0003165682.tif 000032
【図３１】
0003165682.tif 000033
【図３２】
0003165682.tif 000034
【手続補正書】
【提出日】平成22年11月17日(2010.11.17)
【手続補正１】
【補正対象書類名】実用新案登録請求の範囲
【補正対象項目名】請求項１
【補正方法】変更
【補正の内容】
【請求項１】
二段ベッドの二つの支柱の間に接続し、ガードレールには二つの端末部があり、二つの端末部は別々に組立分解できるように二つの支柱と接続する組立分解可能のガードレール装置。